(57)【要約】【課題】操作者が印刷したいページ以外のページを指示し忘れで印刷を行っていた。そのため多くの紙・インク・トナー等が無駄となっていた。【解決手段】印刷対象の表示において１ページ目でなかったときには印刷詳細設定画面でのデフォルトは印刷開始入力を行ったときの表示ページのページ指定印刷とする。もしくは、全ページ印刷指定となっていたときに確認をするための表示を行う。【選択図】図１
2007226356.tif 000002
【特許請求の範囲】
【請求項１】
表示手段と、
操作者の指示を受ける入力手段と、
前記表示手段に印刷対象の種々のページを入力手段の指示に従い表示するとともに、前記入力手段により処理開始指示をうけて処理の詳細指示を受け付けるための表示およびその指示入力を行い、全ページまたは指定されたページの処理制御できる手段と
を備え、
選択を前記詳細指示表示および入力で可能な電子機器であって、
前記表示手段において先頭ページ以外のページの表示を行っている際に、処理開始指示入力がなされて表示される処理詳細指示画面で、表示されていたページからの処理指示入力をデフォルトで設定する制御手段を備えたことを特徴とする電子機器。
【請求項２】
表示手段と、
操作者の指示を受ける入力手段と、
前記表示手段に印刷対象の種々のページを入力手段の指示に従い表示するとともに、前記入力手段により処理開始指示をうけて処理の詳細指示を受け付けるための表示およびその指示入力を行い、全ページまたは指定されたページの処理制御できる手段と
を備え、
選択を前記詳細指示表示および入力で可能な電子機器において、
前記表示手段において、先頭ページ以外のページの表示を行っている際になされた処理開始指示後の処理詳細指示において実行指示がなされたとき、全ページの処理が指定されているときに確認表示を行う制御手段を備えたことを特徴とする電子機器。
【発明の詳細な説明】
【技術分野】
【０００１】
本発明は電子機器に関し、特に処理指示するための表示方法・デフォルト設定を行ったものである。
【背景技術】
【０００２】
従来、操作者より印刷するための入力があった場合、印刷に関する詳細指示を受ける表示を行っていた。印刷対象に複数のページを有するものである場合、特にデフォルト表示においてはその全ページを印刷するような表示となっていた。
【０００３】
その一例を図３に示す。
301と302はグループ化されたラジオボタンで、マウスなどの入力手段により、どちらかをクリックされると他方は非選択状態になる。図３では301が選択されている状態を表す。
【０００４】
303と304はそれぞれ、301、302のラジオボタンに対応する印刷指示で、301・303は印刷対象が全ページを意味し、302・304は"ページ指定"を指し示す。302を操作者がクリックした場合には、"ページ指定"での印刷指示となり305の入力が可能となる。305では具体的にどのページを印刷するのかを指示する。
【０００５】
306は印刷の実行をこの詳細設定画面で表示されている指示に従って実行するためのトリガボタンで、306は印刷のキャンセルするためのボタンである。
通常、印刷開始指示を操作者が行った場合、図３のような表示があらわれ、全ページ印刷が指定されている状態となっており、ここで、他の指示をせず、306の実行ボタンを操作者がクリックした場合には印刷対象物の全ページが印刷されていた。
【発明の開示】
【発明が解決しようとする課題】
【０００６】
従来、多くのページからなる印刷対象の中から特定のページを印刷するときに、印刷開始指示し、それからページ指示を行っていた。特に、上記場面では、まず表示でどのページだったか確認をし、それから印刷開始指示を行っていた。
【０００７】
その場合、特に急いでいるときや、人間の頭では印刷したいページを選択しているつもりであるが、機械がそれを理解していない（人間が指示をしていない）ことが多々あり、結果,デフォルトとなっている全ページ印刷を行ってしまい、目的のページまでの無駄な紙・トナー・インクを消費していた。
【０００８】
特に昨今のPCの処理が早い装置においては、間違いに気づき途中での中止にもかかわらずそのほとんどの処理が終わっておりかなりの無駄な印刷が行われていた。
【０００９】
本発明は、上記の課題に鑑みてなされたものであり、うっかり全ページ印刷してしまったり、人間では選択したつもりで機械に指示していなかったために生じる無駄な印刷を防ぐことを可能とする電子機器を提供することを目的とする。
【課題を解決するための手段】
【００１０】
本発明の電子機器は、表示手段と、操作者の指示を受ける入力手段と、前記表示手段に印刷対象の種々のページを入力手段の指示に従い表示するとともに、前記入力手段により処理開始指示をうけて処理の詳細指示を受け付けるための表示およびその指示入力を行い、全ページまたは指定されたページの処理制御できる手段とを備え、選択を前記詳細指示表示および入力で可能な電子機器であって、前記表示手段において先頭ページ以外のページの表示を行っている際に、処理開始指示入力がなされて表示される処理詳細指示画面で、表示されていたページからの処理指示入力をデフォルトで設定する制御手段を備える。
【００１１】
本発明の電子機器は、表示手段と、操作者の指示を受ける入力手段と、前記表示手段に印刷対象の種々のページを入力手段の指示に従い表示するとともに、前記入力手段により処理開始指示をうけて処理の詳細指示を受け付けるための表示およびその指示入力を行い、全ページまたは指定されたページの処理制御できる手段とを備え、選択を前記詳細指示表示および入力で可能な電子機器において、前記表示手段において、先頭ページ以外のページの表示を行っている際になされた処理開始指示後の処理詳細指示において実行指示がなされたとき、全ページの処理が指定されているときに確認表示を行う制御手段を備える。
【発明の効果】
【００１２】
本発明によれば、うっかり全ページ印刷してしまったり、人間では選択したつもりで機械に指示していなかったために生じる無駄な印刷を防ぐことが可能となる。
特にここでは印刷処理で説明をしたが、FAXや通信処理も考えられる。その場合にはもはや、間違ったデータを送ったことを操作者は自分自身で確認ができないことが多いので、セキュリティの観点でも本発明は効果がある。
【発明を実施するための最良の形態】
【００１３】
以下に一実施形態をあげて本発明を説明する。
図１は本実施形態での構成図である。
101は入力装置でキーボードおよび、マウスとする。これらを使用し印刷開始指示、印刷対象の表示およびその表示での他ページ表示指示、印刷詳細指示表示での選択指示などの入力を行う。
【００１４】
102は制御手段でシステム全体を制御する。
103は記憶手段で詳細は図２で後述する。
104は表示装置で印刷対象および印刷詳細指示などの表示を行う。
105は印刷手段とする。
【００１５】
図２は記憶手段103の説明図である。
201は印刷対象を記憶する領域、202は印刷対象を表示する際にどのページを表示しているかを記憶する領域、203はシステムを制御する上で必要なワークとする。
【００１６】
図４及び図５で印刷対象の表示処理を説明する画面を示す。
不図示の入力で印刷対象の表示処理トリガがなされ、それに応じて印刷対象データ201を表示装置104に表示させる。
【００１７】
その際、本実施形態では１ページ目が表示されることとするので表示ページ記憶領域202には１を設定し、そのページからの表示とする。
【００１８】
その様子を図４に示す。
図４で403が印刷対象の表示エリアで401,402が入力装置であるマウスによりクリックして印刷対象のページを切り替えるためのボタン表示で401は前ページ、402は次ページ表示ボタンとする。
【００１９】
これらのボタンクリックに応じて表示ページ記憶領域202の数値も変更される。すなわち、前ページではー１し、次ページでは＋１する。
【００２０】
なお、１ページ目を表示しているときには、前ページが存在しないのでボタン表示をグレイ表示しクリックしてもアクションがないことを明示している。
その状態から、次ページボタンを２度クリックされると３ページ目の表示となり、図５で示すように３ページ目を表示され、表示ページ記憶領域202には３が設定されている。
ここまでの処理のフローチャートを図６〜図８で説明する。
【００２１】
図６は印刷対象の表示指示が行われた場合の初期のフローチャートである。
まず、601で表示ページ記憶領域202に１を設定し、602でその表示ページ記憶領域202の値に応じたページを表示装置104で表示するとともに、603で前ページボタンが無効であることを示すようにグレイアウトさせ、初期表示動作を終了する。
【００２２】
図７及び図８はページ切り替えボタン401,402のクリック動作処理である。
図７は前ページ切り替えボタン処理で、まず、701で表示ページ記憶領域202の値が１かどうかを判断する。１の場合前ページ切り替え処理は無効とし、この処理を抜ける。
【００２３】
701で表示ページ記憶領域202の値が１でないときいは702にすすみ、表示ページ記憶領域202の値を＋１し、前ページボタンを有効と示す黒くする。
その後、703で新たに設定された表示ページ記憶領域202の値が不図示の印刷対象の最終ページかを判断する（印刷対象データのなかにこのデータをもつことで容易に達成できる）。もし最終ページであるときには、704で次ページボタンを無効とすべくグレイアウトし、処理を抜ける。
【００２４】
703で最終ページでないと判断されるときにはそのままこの処理を抜ける。
同様に図8では次ページボタンクリック処理のフローチャートを示す。801で最終ページであるかを判断し、最終ページであるならば、この処理は無効なのでそのまま抜ける。
801で最終ページでないならば、802で表示ページ記憶領域202の値をー１し、次ページボタンを黒くする。
【００２５】
803では更新された表示ページ記憶領域202の値が１かどうかを判断する。表示ページ記憶領域202の値が１の場合、次操作の前ページボタンクリックを無効であることをしめすべく、前ページボタンをグレイアウトし、この処理を抜ける。
803で表示ページ記憶領域202の値が１でないときにはそのままこの処理は抜ける。
【００２６】
次に、不図示の印刷開始のトリガとなる入力が行われたときの処理を説明する。
図９に印刷開始トリガの入力があったときの印刷詳細設定の初期フローを示す。
901で印刷開始トリガが行われたときに表示していた印刷対象のページが何ページ目かを判断する。１ページ目の時には通常どおり、図３に示したような画面を表示すべく、
902で全ページ印刷を示すラジオボタン301を選択状態にする（状態A）。
【００２７】
901において表示ページが１以外のときには図１０に示すように、ページ指定印刷を選択状態を示すラジオボタン1001を設定し（前述のようにグループ化されたラジオボタンは他方は非選択になる。1002）、さらにページ入力画面1003に表示ページ記憶領域202の値が入力されている。
【００２８】
（状態B）＜ここでは印刷開始トリガが入力されたときの印刷対象の表示されているページが３ページ目であったとする＞
この状態で実行ボタン306をクリックすれば、３ページ目だけ印刷される。
もちろん、例えば、３，５，９と1002に入力をした場合には、従来どおり３，５，９
ページが印刷される。
【００２９】
図３の状態（状態A）で302をクリックし、ページ指定印刷選択を行うことも従来のどおりである。
逆に状態Bで、1002をクリックして、全ページ印刷することも従来の技術どおりである。しかしながら、それからさらに1001をクリックしたときに1003に自動的に表示ページ記憶領域の値が入ることも、他方、従来どおり何も入力されないことも可能ではある。
実行ボタン306のクリック以降の処理は従来技術であるので説明を省く。
【００３０】
次に他の実施形態を説明する。
前述の実施形態では積極的にページ指定印刷を選択させていたが、メッセージを出すにとどめる実施形態を説明する。
【００３１】
図１１にそのフローチャートを示す。このフローチャートでは詳細設定入力画面図3で実行ボタン306がクリックされたあとの処理を示す。
まず、1101で表示ページ記憶領域202の値が１かどうかを判断する。
１の場合には従来どおりなので印刷処理1105へ進む。
１以外の場合、1102で詳細設定入力で全ページ印刷が選択されているかを判断する。
【００３２】
ここで全ページ印刷選択でなくページ指定の場合にはそのまま印刷処理へ進む。
1102で全ページ印刷の場合には、操作者の操作ミスおよび指示忘れの可能性があるので1103へ進み,図１２のようなメッセ−ジをポップアップで表示し、確認を促す。
【００３３】
1104で"はい"1202が選択されれば、印刷処理1105へ進み、"いいえ"1203が選択されれば、このメッセージを消して、図３の詳細入力設定の実行ボタン306がクリックされる前の状態に戻す。
【００３４】
このように、一度印刷を実行する前に一呼吸置くのでユーザの意思の確認ができる。
上記の例では処理として印刷処理としたが、これは印刷処理に限らず、FAX・通信等の処理も同様に考えられる。これは出力自体を自分自身で確認ができないので特に間違って送ってしまわないようにすることが可能となる。
【図面の簡単な説明】
【００３５】
【図１】実施形態の構成図である。
【図２】実施形態での記憶手段内説明を行うための図である。
【図３】従来の印刷詳細指示表示画面を示す図である。
【図４】印刷対象表示の１ページ目表示例を示す図である。
【図５】印刷対象表示の３ページ目表示例を示す図である。
【図６】印刷対象表示の初期処理フローチャートである。
【図７】印刷対象表示の次ページ処理フローチャートである。
【図８】印刷対象表示の次ページ処理フローチャートである。
【図９】印刷処理のデフォルト設定のフローチャートである。
【図１０】デフォルトでページ指定選択となっている表示例を示す図である。
【図１１】確認表示する実施形態のフローチャートである。
【図１２】確認表示する実施形態の画面例を示す図である。
【符号の説明】
【００３６】
101  実施形態での入力手段でキーボード、マウス
104  表示装置
103  記憶装置
105  印刷手段
201  印刷対象データ格納領域
202  表示ページ記憶領域
301・302  印刷指示選択を示すラジオボタン
305  ページ指定の入力する領域
401・402  ページ更新用ボタン（401前ページ、402次ページ）
403  印刷対象の表示領域
601  印刷対象表示処理の表示ページ記憶領域にデフォルト設定処理
702・802  前ページ・次ページボタンのクリックにより表示ページ記憶更新処理
901  印刷詳細指示初期処理における、表示ページによる判断処理
903  表示ページが１以外のときのページ指定印刷選択処理および、ページ表示処理1001  ページ指定選択を表すラジオボタン
1003  指定されたページを入力する領域
1103  他の実施形態で表示ページが１でないとき全ページ印刷が選択されたときの表示処理
1201他の実施形態で表示ページが１でないとき全ページ印刷が選択されたときの確認画面      表示例
【図１】
2007226356.tif 000003
【図２】
2007226356.tif 000004
【図３】
2007226356.tif 000005
【図４】
2007226356.tif 000006
【図５】
2007226356.tif 000007
【図６】
2007226356.tif 000008
【図７】
2007226356.tif 000009
【図８】
2007226356.tif 000010
【図９】
2007226356.tif 000011
【図１０】
2007226356.tif 000012
【図１１】
2007226356.tif 000013
【図１２】
2007226356.tif 000014